【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
一連の連続したパネルとして形成された折り畳み可能部分（２）と、 該折り畳み可能部分に設けられた成形されたロック用部材（１２）とを有し、
折り畳み可能部分（２）は、（i）上部パネル（３）と、（ii）底部パネル（６）と、（iii）エンドパネル（５）とを有し、
上部パネル（３）は該上部パネル（３）に対して折り畳み可能な延長部パネル（４）を有し、該延長部パネル（４）は単位分量材料を保持するための一つあるいは複数のブリスタを有し、上部パネル（３）及び延長部パネル（４）の各々はそのエッジの近くに一つもしくは複数のスロット（１０，９）を有しており、
底部パネル（６）は上部パネル（３）に折り畳み可能に連結されており、また底部パネル（６）の内部には凹部手段（１１）が設けられており、
エンドパネル（５）は上部パネル（３）及び底部パネル（６）に折り畳み可能に連結されている、単位分量パッケージ。
【請求項２】
当該単位分量パッケージの内部もしくはその上に設けられた単位分量収容部材をさらに有する請求項１の単位分量パッケージ。
【請求項３】
前記成形されたロック用部材（１２）が、
ａ）堅固な矩形のパッケージフレームを形成する一対のサイドパネル（２３）及び一対のエンドパネル（２２）と、
ｂ）前記折り畳み可能部分（２）の底部パネル（６）に対して平行に配置されていて堅固なトレイを形成するフレームベース（１５）と、
ｃ）前記トレイの内側の摺動式のロック用タング（１４）と、
ｄ）前記パッケージフレームの一つのエンドパネル（２２）へ取り付けられたロック用フラップ（１３）とを有し、
前記ロック用タング（１４）の一端にトリガ機構（１７）が配置されており、他端に曲線状ドエル（２７）が配置されており、前記ロック用フラップ（１３）が、そこから下方へ直角に突き出していて曲線状ドエル（２７）と係合可能な垂れ下がりタブ（１９）を有しており、
前記折り畳み可能部分（２）の凹部手段（１１）が成形プラスチックのロック用部材（１２）のトリガ機構（１７）に対応しており、
前記折り畳み可能部分（２）の上部パネル（３）と延長部パネル（４）に設けられたスロット（９）が協働して、ロック機構の垂れ下がりタブ（１９）を通すためのスロットを形成している請求項１もしくは２記載の単位分量パッケージ。
【請求項４】
前記曲線状ドエル（２７）がそこから直角に突き出す側方タブ（２５）を有し、この側方タブ（２５）を係合するためにロック用フラップ（１３）の垂れ下がりタブ（１９）がこのタブの内側にスロット（３９）を有している請求項３記載の単位分量パッケージ。
【請求項５】
前記凹部手段（１１）が、ボタンか、ノッチか、タブか、あるいは切り欠き部である請求項３もしくは４記載の単位分量パッケージ。
【請求項６】
前記トリガ機構（１７）がプルリングである請求項３〜５のいずれかに記載の単位分量パッケージ。
【請求項７】
前記折り畳み可能部分（２）がＣ１ＳあるいはＣ２Ｓの漂白された、あるいは漂白されていない板紙から形成されている請求項１〜６のいずれかに記載の単位分量パッケージ。
【請求項８】
前記折り畳み可能部分（２）が板紙もしくは折り畳み可能なプラスチック材料から形成されている請求項１〜７のいずれかに記載の単位分量パッケージ。
【請求項９】
前記板紙がポリマ材料でラミネートされている請求項８記載の単位分量パッケージ。
【請求項１０】
前記単位分量収容部材はブリスタ、パウチ及びフォイルインサートからなるグループから選択された部材である請求項２〜９のいずれかに記載の単位分量パッケージ。
【請求項１１】
前記単位分量収容部材は折り畳み可能部分（２）に取り付けられている請求項２〜１０のいずれかに記載の単位分量パッケージ。
【請求項１２】
前記単位分量収容部材は上部パネル（３）の一つあるいは複数の延長部に取り付けられている請求項２〜１１のいずれかに記載の単位分量パッケージ。
【請求項１３】
前記単位分量収容部材は単位分量パッケージが折り畳まれて閉じた状態にあるときに別個の部材として単位分量パッケージに挿入されるものである請求項２〜１２のいずれかに記載の単位分量パッケージ。
【請求項１４】
一つもしくは複数のブリスタが前記折り畳み可能部分（２）に取り付けられている請求項１〜１３のいずれかに記載の単位分量パッケージ。
【請求項１５】
前記成形されたロック用部材（１２）は、
（ａ）フレームと、摺動式のロック用タング（１４）と、ロック用フラップ（１３）とを有するロック部材と、
（ｂ）ロック解放部材と、
を有している請求項１〜１４のいずれかの単位分量パッケージ。
【請求項１６】
前記フレームは多角形のパッケージフレームと、ロック用タング（１４）を受け入れるフレームベースとを有している請求項１５に記載の単位分量パッケージ。
【請求項１７】
前記フレームは、互いに接続されて矩形のフレームを形成する２つのサイドパネル（２３）と２つのエンドパネル（２２）とを有し、エンドパネル（２２）はサイドパネル（２３）よりも高さが低くて長さが短く、エンドパネル（２２）の一方はロック用フラップ（１３）の取付け部となっている請求項１５に記載の単位分量パッケージ。
【請求項１８】
前記摺動式のロック用タング（１４）の一端にはプルリング（１７）が設けられている請求項３〜１７のいずれかに記載の単位分量パッケージ。
【請求項１９】
前記成形されたロック用部材（１２）は、堅固なプラスチック材料と可撓性のプラスチック材料とから形成されている。
【請求項２０】
単位分量パッケージであって、一連の連続したパネルとして形成された可撓性の板紙もしくはプラスチック部分（２）と、堅固なロック用部材（１２）と、 当該単位分量パッケージの内部に単位分量を収容するための収容構造とを有し、
前記可撓性の板紙もしくはプラスチック部分（２）は、上部パネル（３）と、底部パネル（６）と、エンドパネル（５）とを有し、
上部パネル（３）は該上部パネル（３）に対して折り畳み可能な延長部パネル（４）を有し、該延長部パネル（４）は単位分量材料を保持するための一つあるいは複数のブリスタを有し、上部パネル（３）及び延長部パネル（４）の各々はそのエッジの近くに一つもしくは複数のスロット（１０，９）を有しており、底部パネル（６）の内部には凹部手段（１１）が設けられており、またエンドパネル（５）は上部パネル（３）及び底部パネル（６）に折り畳み可能に連結されており、
堅固なロック用部材（１２）は成形されたプラスチックのロック用部材であり、該ロック用部材は堅固な矩形のパッケージフレームを形成する一対のサイドパネル（２３）及び一対のエンドパネル（２２）と、可撓性の板紙もしくはプラスチック部分（２）の底部パネル（６）に対して平行に配置されていて堅固なトレイを形成するフレームベース（１５）と、前記トレイの内側の摺動式のロック用タング（１４）と、前記パッケージフレームの一つのエンドパネル（２２）に取り付けられたロック用フラップ（１３）とを有し、ロック用タング（１４）はその一端にトリガ機構（１７）を、他端に曲線状ドエル（２７）を有し、前記ロック用フラップ（１３）はそこから下方へ直角に突き出していて曲線状ドエル（２７）と係合可能な垂れ下がりタブ（１９）を有しており、
可撓性の板紙もしくはプラスチック部分（２）の凹部手段（１１）が成形プラスチックのロック用部材（１２）のトリガ機構（１７）に対応しており、前記可撓性の板紙もしくはプラスチック部分（２）の上部パネル（３）と延長部パネル（４）に設けられたスロット（９）が協働して、ロック機構の垂れ下がりタブ（１９）を通すためのスロットを形成している単位分量パッケージ。
【請求項２１】
請求項１〜２０のいずれかの単位分量パッケージ内に単位分量材料をパッケージングする方法であって、
ａ）摺動式のロック用タング（１４）と、フレームベース（１５）とロック用のフラップ（１３）とを有するロック用部材（１２）を形成する段階と、
ｂ）可撓性の板紙もしくはプラスチック材料からブランクを切り取る段階と、
ｃ）前記ブランクを折り畳んで容器（２）を形成し、それをロック用部材（１２）へ取り付ける段階と、
ｄ）容器の中に単位分量材料から成る一つあるいは複数の分量を挿入する段階と、
を有する方法。
【請求項２２】
堅固なプラスチック材料と可撓性のプラスチック材料とからロック用部材（１２）を形成する段階を有する請求項２１記載の方法。
【請求項２３】
前記ブランクはスロットあるいは切り欠き部（１１）を備えた底部パネル（６）と、各々が底部パネル（６）の両端に折り畳み可能に連結された一対のエンドパネル（５，７）と、一つもしくは複数の延長部パネル（４）を有する上部パネル（３）と、を有して形成される請求項２１もしくは２２に記載の方法。